(57)【要約】  【課題】  簡単な機械的構造でメンテナンス作業時の拍車２１ｂによるノイズをなくする。  【解決手段】  キャリッジをメンテナンス位置にて停止させると、キャリッジにおける後端面で、当接レバー５９を図８（ｂ）の矢印Ｅ方向に押した状態となり、作用軸５６を図８（ｂ）において反時計廻りに回動させる。これにより、押し上げ作用部５８が当接体５５を押し上げ、コイルバネの付勢力に抗して拍車ホルダ５３が図８（ｂ）において時計廻りに上向きに回動し、すべての拍車２１ｂが排紙ローラ２１ａの上面から離れるので、排紙ローラ２１ａが回転駆動していても、拍車２１ｂの外周端が排紙ローラ２１ａにこすれるときのノイズが発生しない。  【選択図】  図８
2006327804.tif 000002
【特許請求の範囲】
【請求項１】
記録ヘッドが備えられたキャリッジを被記録媒体の搬送方向と交差する主走査方向に往復動可能に設け、
前記キャリッジの移動方向の一端部に、前記記録ヘッドのメンテナンス部を設け、
前記キャリッジより被記録媒体の搬送方向の下流側に配置された排紙手段により、被記録媒体を挟持して排出方向に搬送するように構成してなる画像記録装置において、
前記排紙手段は、回転駆動する排紙ローラと、該排紙ローラと対向するように配置されて当接可能な拍車とからなり、
前記拍車を支持する拍車ホルダは、前記排紙ローラに対して遠近動可能に設けられ、
前記キャリッジがメンテナンス部に位置するとき、前記拍車が前記排紙ローラから離間する方向に前記拍車ホルダを移動させる離間作動手段を備えたことを特徴とする画像記録装置。
【請求項２】
前記離間作動手段は、前記キャリッジを案内支持する支持フレームと、前記拍車ホルダとの間に介在されたカム手段であることを特徴とする請求項１に記載の画像記録装置。
【請求項３】
前記カム手段には、前記メンテナンス部に位置する前記キャリッジの当接部に当接してカム部を傾動させるレバーを備えていることを特徴とする請求項２に記載の画像記録装置。
【請求項４】
前記離間作動手段は、前記キャリッジが前記メンテナンス部に位置するとき、前記拍車ホルダを離間動させるアクチュエータであることを特徴とする請求項１に記載の画像記録装置。
【請求項５】
前記キャリッジが前記メンテナンス部から画像記録領域に移動するとき、前記離間作動手段は、前記拍車が前記排紙ローラに当接する方向に前記拍車ホルダを移動させるように作動することを特徴とする請求項２乃至４のいずれかに記載の画像記録装置。
【発明の詳細な説明】
【技術分野】
【０００１】
本発明は、用紙（被記録媒体）に画像を記録することができる画像記録装置の構成に関するものである。
【背景技術】
【０００２】
近年、主走査方向に往復移動可能なキャリッジの下面に記録ヘッドを備え、主走査方向と直交する副走査方向に用紙（被記録媒体）を記録ヘッドの下面方向に搬送する搬送手段を備えて、用紙に画像を記録することができるインクジェット式の画像記録装置が種々案出されているが、このような画像記録装置では、画像記録後の用紙を排出する排紙手段を備えている。そして、従来、例えば、特許文献１などに開示されているように、排紙手段では、用紙の下面に接して排出する方向に回転駆動する駆動ローラと、その駆動ローラに向けて個々に付勢され、画像記録済の用紙の表面（上面）に接して、当該用紙の排出動作に従動して回転する複数の拍車を備えている。さらに、搬送手段と排紙手段とが、１つの駆動モータ（駆動源）により回転駆動される構成が普通であった。
【０００３】
上記の構成によれば、拍車はその外周縁に多数の歯を有し、各歯の先端が用紙における画像記録面にいわゆる点接触するので、画像記録直後の用紙に拍車が接しても、画像記録面を汚したり、形成された画像が傷つおそれが少ないというメリットがある。
【特許文献１】特開２００２−１２８３５１号公報（図２参照）
【発明の開示】
【発明が解決しようとする課題】
【０００４】
しかしながら、上記特許文献１のような構成では、次のような不都合が発生する。その一つは、搬送手段と排紙手段との両方が同時に駆動しており、搬送手段からメンテナンス部に動力伝達する構成を採用するものでは、排紙ローラに対して拍車が常時当接した状態で排紙ローラが回転駆動していると、例えば、給紙カセットから、記録ヘッドの下方までの用紙の搬送中や、メンテナンス作業中であっても、排紙ローラが回転しているので、拍車の外周端が排紙ローラに接触して従動するときのこすれ音が発生し、それがノイズ（騒音）となるという問題があった。
【０００５】
本発明は、上記の従来の課題を解決すべくなされたものであり、特にメンテナンス作業中に、拍車を排紙ローラから離間させることにより、ノイズの発生をなくした画像記録装置を提供することを目的とするものである。
【課題を解決するための手段】
【０００６】
前記目的を達成するため、請求項１に記載の発明の画像記録装置は、記録ヘッドが備えられたキャリッジを被記録媒体の搬送方向と交差する主走査方向に往復動可能に設け、前記キャリッジの移動方向の一端部に、前記記録ヘッドのメンテナンス部を設け、前記キャリッジより被記録媒体の搬送方向の下流側に配置された排紙手段により、被記録媒体を挟持して排出方向に搬送するように構成してなる画像記録装置において、前記排紙手段は、回転駆動する排紙ローラと、該排紙ローラと対向するように配置されて当接可能な拍車とからなり、前記拍車を支持する拍車ホルダは、前記排紙ローラに対して遠近動可能に設けられ、前記キャリッジがメンテナンス部に位置するとき、前記拍車が前記排紙ローラから離間する方向に前記拍車ホルダを移動させる離間作動手段を備えたものである。
【０００７】
請求項２に記載の発明は、請求項１に記載の画像記録装置において、前記離間作動手段は、前記キャリッジを案内支持する支持フレームと、前記拍車ホルダとの間に介在されたカム手段としたものである。
【０００８】
請求項３に記載の発明は、請求項２に記載の画像記録装置において、前記カム手段には、前記メンテナンス部に位置する前記キャリッジの当接部に当接してカム部を傾動させるレバーを備えているものである。
【０００９】
そして、請求項４に記載の発明は、請求項１に記載の画像記録装置において、前記離間作動手段は、前記キャリッジが前記メンテナンス部に位置するとき、前記拍車ホルダを離間動させるアクチュエータとしたものである。
【００１０】
また、請求項５に記載の発明は、請求項２乃至４のいずれかに記載の画像記録装置において、前記キャリッジが前記メンテナンス部から画像記録領域に移動するとき、前記離間作動手段は、前記拍車が前記排紙ローラに当接する方向に前記拍車ホルダを移動させるように作動するものである。
【発明の効果】
【００１１】
上述のように、請求項１に記載の発明によれば、記録ヘッドが備えられたキャリッジを被記録媒体の搬送方向と交差するに往復動可能に設け、キャリッジの主走査方向に沿う移動方向の一端部に、記録ヘッドのメンテナンス部を設け、キャリッジよりも被記録媒体の搬送方向の下流側に配置された排紙手段は、回転駆動する排紙ローラと、該排紙ローラと対向するように配置されて当接可能な拍車とからなり、拍車を支持する拍車ホルダは、排紙ローラに対して遠近動可能に設けられ、キャリッジがメンテナンス部に位置するとき、拍車が排紙ローラから離間する方向に拍車ホルダを移動させる離間作動手段を備えているので、メンテナンス作業時に、回転している排紙ローラに対して拍車が当接しないから、当該拍車の外周端が排紙ローラに接触して従動するときのこすれ音によるノイズが発生せず、静粛なメンテナンス作業ができるという効果を奏する。
【００１２】
そして、請求項２及び３に記載の発明によれば、離間作動手段は、キャリッジを案内支持する支持フレームと、拍車ホルダとの間に介在されたカム手段であり、このカム手段には、メンテナンス部に位置するキャリッジの当接部に当接してカム部を傾動させるレバーを備えた機械的構成であるので、キャリッジをメンテナンス部に移動させるだけの簡単操作で、静粛なメンテナンス作業ができるという効果を奏する。
【００１３】
請求項４に記載の発明によれば、離間作動手段の別の実施形態としては、キャリッジがメンテナンス部に位置するとき、これをスイッチもしくはセンサ（接触型センサまたは光センサなどの非接触型センサ）にて検知し、拍車ホルダを離間動させるように作動するアクチュエータ、たとえば電磁ソレノイドであっても良い。このような構成を採用すると、部品点数がさらに少なくできるという効果を奏する。
【００１４】
請求項５に記載の発明によれば、離間作動手段は、キャリッジがメンテナンス部から画像記録領域に移動するとき、拍車が排紙ローラに当接する方向に拍車ホルダを移動させるように作動する構成であるから、画像記録作業時に自動的に排出される被記録媒体を挟持することができ、拍車ホルダの移動の制御が簡単になるという効果を奏する。
【００１５】
請求項６に記載の発明によれば、キャリッジよりも被記録媒体の搬送方向上流側には、レジストローラ対が配置されており、このレジストローラ対と排紙手段とは、１つの用紙搬送用駆動モータにより同方向に回転駆動する構成であるので、用紙搬送の構成が簡単になるという効果を奏する。
【発明を実施するための最良の形態】
【００１６】
次に、本発明を具体化した実施形態について図面を参照しながら詳細に説明する。図１は本発明の一実施形態である多機能型の画像記録装置１の全体斜視図、図２は画像記録装置１の左右中央部の側断面図、図３は上部ケースを除去した本体ケースの斜視図、図４は記録部ユニットに給紙カセットを装着した状態の平面図、図５は下流側のガイドプレート及び支持部材を除いた状態の記録部ユニットの斜視図、図６（ａ）は本体ケース２内の記録部ユニットの構造を示す一部側面図、図６（ｂ）は拍車ホルダの付勢及び回動中心を示す要部斜視図、図７は図５のVII −VII 線矢視側面図、図８（ａ）及び図８（ｂ）は図４の VIII −VIII線矢視の断面で示す作用説明図、図９はキャリッジがメンテナンス部に位置した状態であって、拍車ホルダを上向き回動させた状態を排紙ローラ対側から見た斜視図、図１０は同じく搬送上流側から見た斜視図、図１１はキャリッジが移動することにより拍車ホルダが排紙ローラに付勢されている状態を排紙ローラ対側から見た斜視図、図１２は同じく搬送上流側から見た斜視図、図１３は制御装置の機能ブロック図、図１４は制御のフローチャートである。
【００１７】
図１に示す多機能型の画像記録装置１は、ファクシミリ機能、プリンタ機能、複写機能、スキャナ機能等を備えている。多機能型（Multi Function Device ）の画像記録装置１は、上面開放の略箱状の本体ケース２と、この本体ケース２の一側（図１の実施形態では左側）に対して、蝶番、ヒンジ部等の回動軸線部（図示せず）を介して上下回動可能に枢着された上部ケース３とを有する。なお、以下の説明において、図１の画像記録装置１の手前側を前側とし、左右方向（主走査方向、Ｙ軸方向）や、前後方向（副走査方向、Ｘ軸方向）、上下方向に関しても図１の画像記録装置１の向きを基準に説明する。本体ケース２及び上部ケース３は合成樹脂製の射出成形品である。
【００１８】
上部ケース３の上面前部には操作パネル３０が配置されている。操作パネル３０にはの数字ボタンやスタートボタン、機能操作ボタン等の各種のボタンが設けられており、これらのボタンを押下することにより、各種の操作が行われる。操作パネル３０には液晶（ＬＣＤ）等のディスプレイ部３１が設けられ、画像記録装置１の設定状態や各種の操作メッセージ等が必要に応じて表示される。
【００１９】
上部ケース３には、操作パネル３０の後部側にスキャナ装置（画像読取部）３３が配置されている。即ち、ファクシミリ機能時に相手ファクシミリ装置に送信すべきファクシミリ原稿や、複写機能時に複写すべき原稿の画像を読取るためのスキャナ装置３３は、大判のガラス板上の原稿の画像を読取るフラットベッド読取部と、このフラットベッド読取部の上面を覆う回動可能なカバー体３４とからなる。
【００２０】
図示しないが、フラットベッド読取部におけるガラス板の直下には、ガラス板に当接させた原稿の画像面を読取るための光電変換素子の一例としてのライン型の密着型のイメージセンサ（ＣＩＳ：Contact Image Sensor）が、後述するキャリッジの移動方向（主走査方向、Ｙ軸方向）と平行方向（主走査方向、Ｙ軸方向）に沿って延びるガイド軸に沿って往復移動可能に設けられている。
【００２１】
なお、カバー体３４は、画像記録装置１の背面側（図１の奥側）を中心にしてヒンジを介して開閉回動可能に構成されている。
【００２２】
本体ケース２に対して上部ケース３を、図１の左側端部を中心にして上向きに大きく開くことができ、且つその開いた姿勢を保持するための開き姿勢保持手段として、上部ケース３の下面側の一側（画像記録装置１の背面側に近い部分）には、前記イメージセンサ３６の移動方向と平行であってその方向に延びるように案内溝孔を有するガイドレール（図示せず）を固定し、本体ケース２における回動軸線部から遠い側にて基端を回動可能に枢着させた支持棒（図示せず）の先端（上端）のガイドピンをガイドレールに移動可能に嵌挿する。そして、案内溝孔のうち回動軸線部から遠い側にて上向きに切欠き形成された係合部（図示せず）に前記ガイドピンが嵌まった状態で、上部ケース３を本体ケース２に対して所定の大きい開き角度で保持できるように構成するものである。
【００２３】
次に、プリンタ装置（記録部）の構成について説明する。図１に示すように、本体ケース２内の左右方向中央部には、その底部に複数枚の被記録媒体としての用紙Ｐをほぼ水平状にて堆積状態で載置する給紙カセット５が配置され、この給紙カセット５は本体ケース２の前面の開口部２ａに対して引き出し動可能に構成されている。
【００２４】
さらに、本体ケース２内には、給紙カセット５より上部に給紙ローラ７を備えた給送手段としての給送ユニット６と、本体ケース２内の後端部で上向きＵ字状のＵターン搬送路９を介して前向きほぼ水平状に用紙Ｐを搬送する搬送経路と、この搬送経路中に配置された平板状の用紙支持部としてのプラテン１１上の用紙Ｐの表面にインクを吐出して画像記録するインクジェット方式の記録ヘッド１２を備えた記録部ユニット１０とが配置されている（図２参照）。
【００２５】
カラー記録用の記録ヘッド１２にインクを供給するためのインクカートリッジ２６は、本体ケース２内であって、前記回動軸線部を有する側面板と対峙して最も離間した位置の側面板の内面に接近した位置の収容部２７（図２参照）に対して上方から着脱可能に構成されている。インクカートリッジ２６は、複数色毎のインクが収納されており、実施形態ではブラック、シアン、マゼンタ、イエローの四色であるが、それ以上の色のインクを収納しても良い。各インクカートリッジ２６から記録ヘッド１２へは可撓性を有するインクチューブ２８を接続してインク供給する。
【００２６】
図２〜図５に示すように、記録部ユニット１０は記録ヘッド１２を有するキャリッジ１３、合成樹脂製の板状のプラテン１１、キャリッジ１３を往復移動させるためのＣＲ（キャリッジ）モータ２４及びこのＣＲモータ２４に接続されたタイミングベルト２５、並びにこれらを支持するための金属板製のエンジンフレーム３９を主体として構成されている。エンジンフレーム３９は本体ケース２の後部側であって供給カセット５の上方に配されている。支持フレームとしてのエンジンフレーム３９は金属製であって、図３〜図５に示すように箱型をなす本体部３９ａの上部側に本体ケース２の左右方向（主走査方向、Ｙ軸方向）に伸びて、キャリッジ１３を摺動可能に支持する一対のガイドプレート４０、４１を装着してなる。本体部３９ａには、駆動軸１４及び給送ユニット６のアーム６ａが回動自在に軸止されるとともに記録ヘッド１２の下面と対向して用紙Ｐを支持するための平板状のプラテン１１が配置されている。なお、図示しないねじりバネ等の付勢手段により、アーム６ａが常時上向き回動方向に付勢されている。
【００２７】
また、プラテン１１を挟んで搬送方向上流側に配置されて用紙Ｐを記録ヘッド１２の下面に送るためのレジストローラ（搬送ローラ）対２０のうち、駆動する搬送ローラ２０ａの両端部と、プラテン１１より搬送方向下流側にて配置され、記録済みの用紙Ｐを排紙部２２に向かって（図１、図２及び図４の矢印Ｂ方向参照）搬送するための排紙ローラ対２１のうち、駆動する排紙ローラ２１ａの両端部とが、エンジンフレーム３９における一対の側板３９ｂ，３９ｃに設けられた軸支部に回転可能に軸支されている。上記搬送される用紙Ｐは、その上位置の駆動する搬送ローラ２０ａと、下位置の従動の搬送コロ２０ｂと間にニップ（挟持）される。また、排紙ローラ対２１における駆動する排紙ローラ２１ａは排出される用紙Ｐの下面に当接し、拍車２１ｂは用紙Ｐの上面に当接するようにしてニップ（挟持）する。
【００２８】
そして、上記搬送ローラ２０ａ及び排紙ローラ２１ａ及びメンテナンス部３６には、当該メンテナンス部３６の配置側と反対側の側板３９ｂ近傍に配置された１つのＬＦ（用紙搬送用）モータ４２からの動力を所定の歯車伝動機構４３を介して伝達される（図３、図５及び図７参照）。図７に示すように、歯車伝動機構４３は、正逆回転可能なＬＦモータ４２の駆動軸に取付けられたピニオン４３ａと、これに左右で噛合う伝動ギヤ４３ｂ及び中間ギヤ４３ｃと、この中間ギヤ４３ｃに噛合う伝動ギヤ４３ｄとからなり、伝動ギヤ４３ｂはレジストローラ対２０における搬送ローラ２０ａの一側（左端部）に取り付けられている。他方の伝動ギヤ４３ｄは排紙ローラ対２１における排紙ローラ２１ａの一端（左端部）に取付けられている。
【００２９】
また、実施形態では、ＬＦモータ４２からの回転力が、搬送ローラ２０ａの他端部から、後述するメンテナンス部３６への動力伝達切換部分を介して給送ユニット６に動力伝達される。
【００３０】
なお、上述したように、搬送ローラ２０ａと排紙ローラ２１ａとは、用紙搬送経路を挟んで上下に位置するので、ＬＦモータ４２の所定方向の回転駆動により、搬送ローラ２０ａと排紙ローラ２１ａとは、互いに逆向きに回転することになる。
【００３１】
また、歯車伝動機構４３の一部には、搬送ローラ対２０ａによる用紙Ｐの搬送量を検知するためのロータリエンコーダ４４が設けられている。ＣＲモータ２４及びＬＦモータ４２は共に正逆回転可能に構成されている。
【００３２】
給紙カセット５から用紙Ｐを１枚ずつ分離にして給送するときには、ＬＦモータ４２が逆回転し、後に詳述するメンテナンス部３６を介して駆動軸１４が正回転する。これによってつれ廻りするアーム６ａは、このアーム６ａに対する上述の付勢力に抗して下向き回動して給紙ローラ７が給紙カセット５に堆積された用紙Ｐの最上面に当接でき、且つ給紙ローラ７は給送方向に回転する。
【００３３】
給紙カセット５から用紙Ｐを分離給送しないときには、ＬＦモータ４２は正回転して、駆動軸１４が逆回転する。これによってつれ廻りするアーム６ａは上向き（給紙カセット５の下面から離れる方向）に回動し（例えば、図２参照）、アーム６ａに設けられた歯車伝動機構を介して給紙ローラ７が逆回転（図２で時計廻り回転）する。
【００３４】
搬送される用紙Ｐの幅（用紙Ｐの短辺）より外側には、その一端側（実施形態では、図３でエンジンフレーム３９の本体部３９ａで、用紙Ｐの給送方向から見て左側の側板３９ｂに近い部位）にインク受け部３５が、また、他端側（図３で右側の側板３９ｃに近い部位）にメンテナンスユニットからなるメンテナンス部３６がそれぞれ配置されている。これにより、記録ヘッド１２はインク受け部３５に設けられたフラッシング位置にて記録動作中に定期的にノズルの目詰まり防止のためのインク吐出を行い、インク受け部３５にてインクを受ける。
【００３５】
メンテナンス部３６では、キャリッジ１３が主走査方向（Ｙ軸方向）であって、図４で最も右端に位置するときを原点位置とし、原点位置からＹ軸方向に沿って左側にキャリッジ１３を移動させた位置を待機位置兼用のメンテナンス位置とする。待機位置兼用のメンテナンス位置では、メンテナンス部３６におけるキャップ部３６ａ（図１２参照）が記録ヘッド１２のノズル面を下方から覆っている。ＬＦモータ４２が駆動し、吸引ポンプ（図示せず）を作動させてノズルからインクを選択的に吸引したり、記録ヘッド１２上の図示しないバッファタンク内の気泡を除去するための回復処理等を行う。なお、キャリッジ１３がメンテナンス部３６から、画像記録領域に横方向に移動するとき、クリーナ（ワイパブレード）３６ｂでノズル面を拭いてクリーニングを行う。
【００３６】
記録ヘッド１２が搭載されたキャリッジ１３を往復移動させるために、用紙給送方向（図１及び図３の矢印Ａ方向参照）の下流側に配置されたガイドプレート４１の上面には、主走査方向（Ｙ軸方向）に延びるように配置されたタイミングベルト２５がプーリ２５ａ，２５ｂに巻回されている。そのタイミングベルト２５を駆動するＣＲ（キャジッジ）モータ２４（実施形態ではＤＣモータであるが、ステッピングモータ等他のモータでもよい。）はガイドプレート４１の下面に固定されている（図２、図９及び図１２参照）。ガイドプレート４１には、その長手方向（主走査方向）に沿って延びるようにリニアエンコーダ（エンコーダストリップ）３７が配置されて、キャリッジ１３のＹ軸方向（主走査方向）の位置を検知する。この帯状のリニアエンコーダ（エンコーダストリップ）３７は検査面（Ｙ軸方向に一定間隔で配置されたスリットの形成面）が垂直方向に沿うように配置されている。
【００３７】
なお、記録ヘッド１２のノズル面による画像記録領域より下流側であって、排紙ローラ対２１との間の部位には、プラテン１１の上面に近接させた部位に、拍車５１を配置する（図８（ａ）及び図８（ｂ）参照）。これにより、画像記録済の用紙Ｐが浮き上がってノズル面に摺接せず、インクの汚れで画像品質を悪化させないようにしている。
【００３８】
次に、排紙ローラ対２１における拍車２１ｂを駆動する排紙ローラ２１ａに対して接離可能となる構成について説明する。図６（ａ）、図６（ｂ）、図８（ａ）及び図８（ｂ）に示すように、駆動ローラ２１ａはエンジンフレーム３９の本体部３９ａに高さ位置固定的に設けられ、その上方であって下流側のガイドプレート４１の下面に近接して拍車ホルダ５３が上下動可能に配置されている。合成樹脂製の平板状の拍車ホルダ５３には、複数の拍車２１ｂが、駆動ローラ２１ａの回転軸線に沿って適宜間隔で配置されている。そして、拍車ホルダ５３の長手方向（Ｙ軸方向）の両端部のフック５５ａと、本体部３９ａ固定された主支持部材４５の側端のフック５５ｂとの間には、コイルバネ５４が装架されて、拍車ホルダ５３を下向きに付勢し、拍車２１ｂの外周拍車部分の下端部が、駆動する排紙ローラ２１ａの上面に近接もしくは当接するように構成されている（図６（ａ）及び図６（ｂ）参照）。
【００３９】
拍車ホルダ５３の上面のうち搬送方向下流側端部には、Ｙ軸方向に沿って適宜間隔でＬ字状の当接体５５が一体的に設けられ、これらの当接体５５が下流側のガイドプレート４１の上面と対面するように配置されている（図６（ａ）、図８（ａ）、図８（ｂ）、図９及び図１１参照）。そして、キャリッジ１３を案内支持するガイドプレート４１と、拍車ホルダ５３との間に介在された離間作動手段により、拍車ホルダ５３を移動させて拍車２１ｂを排紙ローラ２１ａから離間させる。離間作動手段の第１実施形態はカム手段であり、そのカム手段には、メンテナンス部３６に位置するキャリッジ１３の当接部に当接してカム部を傾動させるレバーを備えているものである。
【００４０】
その構成をさらに詳述すると、ガイドプレート４１の上面うち搬送方向下流側端部には、Ｙ軸方向に沿って延びる作用軸５６が軸受部５７に対して水平軸線廻りに回動可能に軸支されており、この作用軸５６には、滴型の押し上げ作用部５８（請求項のカム部に相当する）が一体的に形成されている（図８（ａ）、図８（ｂ）、図９及び図１１参照）。また、作用軸５６には、メンテナンス部３６の近傍にて上向きに立設するように、当接レバー５９（請求項のレバーに相当する）が固設されている（図８（ａ）、図８（ｂ）、図９及び図１１参照）。当接レバー５９はその平面視の断面形状が搬送方向上流側に突出する二等辺三角形である。キャリッジ１３が主走査方向（Ｙ軸方向）に沿って移動してメンテナンス部３６内に位置するとき、キャリッジ１３の後端面（後当接部）１３ａ（図９及び図１１参照）が当接レバー５９を押して、作用軸５６を図８（ｂ）において反時計廻り（図８（ｂ）の矢印Ｅ方向）に回動させる。これにより、押し上げ作用部５８が当接体５５を押し上げると、コイルバネ５４の付勢力に抗して拍車ホルダ５３が図８（ｂ）において時計廻りに上向きに回動し、すべての拍車２１ｂを排紙ローラ２１ａの上面から離れるように構成されている（図８（ｂ）の状態参照）。なお、キャリッジ１３がメンテナンス部３６から画像記録領域に出る方向矢印Ｄ方向に移動すると、キャリッジ１３の後端面（後当接部）１３ａは当接レバー５９から外れ、拍車ホルダ５３が下向き回動して拍車２１ｂが排紙ローラ２１ａの上面に当接する。
【００４１】
次に、図１０及び図１２を参照しながら、給送ユニット６及びメンテナンス部３６に対するそれぞれの駆動力の動力伝達部及び伝達切り替え手段１００の構成について説明する。図７に示し、且つ上述したように、正逆回転可能なＬＦモータ４２からの回転力は、歯車伝動機構４３におけるピニオン４３ａ及びレジストローラ対２０における搬送ローラ２０ａに取り付けられた減速ギヤ４３ｂに伝達される一方、ピニオン４３ａから中間ギヤ４３ｂを介して排紙ローラ対２１における排紙ローラ２１ａに取付けられたギヤ４３ｃに伝達され、搬送ローラ２０ａと排紙ローラ２１ａとが同時に回転する。
【００４２】
そして、搬送ローラ２０ａの右端部（メンテナンス部３６）には１つの駆動ギヤ１０１が一体的に回転するように設けられている。この駆動ギヤ１０１に常時噛み合い、且つ搬送ローラ２０ａの軸線と並行状にスライド可能な１つの中間歯車である切り換えギヤ１０９を備えた伝達切り換え手段１００は、給送ユニット６への第１動力伝達部と、メンテナンス部３６への第２動力伝達部とに選択に動力伝達するように構成されている。
【００４３】
伝達切り換え手段１００は、図１０及び図１２に示すごとく、搬送ローラ２０ａの軸線と並行に摺動自在なブロック部１０５ａと、このブロック部１０５ａと切り離し可能であって支軸１０５ｂに摺動自在な切り換えギヤ１０９と、ブロック部１０５ａから上向きに一体的に突出する当接部１１０と、ブロック部１０５ａを側板３９ｃの外面方向に弾力付勢するための第１付勢バネ１０５ｃと、側板３９ｃの外面と切り換えギヤ１０９との間に配置されて、切り換えギヤ１０９をブロック部１０５ａの一側方向に押圧付勢するための第２付勢バネ１０５ｄとにより構成されている。第１付勢バネ１０５ｃより第２付勢バネ１０５ｄの付勢力は弱く設定されている。
【００４４】
そして、メンテナンス部３６において、キャリッジ１３が図１０で左方向（Ｃ方向）に移動し、キャリッジ１３における押圧部１１１で当接部１１０を図１０で左方向に押して第１付勢バネ１０５ｃの付勢力に抗してブロック部１０５ａを切り換えギヤ１０９から離間させ、切り換えギヤ１０９がメンテナンス側ギヤ１１２に噛合うときには、図示しない歯車群を介して、メンテナンス部３６に動力伝達される。一方、図１２のように、キャリッジ１３が所定量だけ右方向（Ｄ方向）に移動して第１付勢バネ１０５ｃの付勢力にてブロック部１０５ａも側板３９ｃに接近し、切り換えギヤ１０９が給紙側ギヤ１１３に噛合うときには、図示しない歯車群を介して給送ユニット６の駆動軸１４に動力伝達され、アームａは下降し、そのアーム６ａ先端の給紙ローラ７は給紙カセット５に堆積された用紙Ｐの最上面に押圧され、且つ給紙ローラ７は給送方向に回転駆動する。
【００４５】
次に図１３を参照して、この画像記録装置１の制御部（制御手段）について説明する。この制御部は、画像記録装置１の全体的な動作を制御するものである。
【００４６】
この制御部は、ＣＰＵ３００、ＲＯＭ３０１、ＲＡＭ３０２、ＥＥＰＲＯＭ３０３を中心とするマイクロコンピュータとして構成され、バス３０５を介してＡＳＩＣ（Application Specific Integrated Circuit ）３０６に接続されている。
【００４７】
ＲＯＭ３０１には、インクジェットプリンタの各種動作を制御するプログラム等が格納されおり、ＲＡＭ３０２は、ＣＰＵがこれらのプログラムを実行する際に用いる各種データを一時的に記憶する記憶領域として、また作業領域として用いられる。
【００４８】
ＡＳＩＣ３０６にはＮＣＵ（Network control Unit）３１７が接続されており、公衆回線からＮＣＵ３１７を介して入力された通信信号はＭＯＤＥＭ３１８によって復調されてからＡＳＩＣ３０６に入力される。また、ＡＳＩＣ３０６がファクシミリ送信等で画像データを外部へ送信する場合には、その画像データがＭＯＤＥＭ３１８によって通信信号に変調され、その通信信号がＮＣＵ３１７を介して公衆回線に出力される。
【００４９】
また、ＡＳＩＣ３０６は、ＣＰＵ３００からの指令に従い、例えばＬＦモータ４２に通電する相励磁信号等を生成して、これらの信号をＬＦモータ４２の駆動回路３１１やＣＲモータ２４の駆動回路３１２に与え、駆動回路３１１や駆動回路３１２等を介してＬＦモータ４２やＣＲモータ２４に駆動信号を通電し、ＬＦモータ４２やＣＲモータ２４の回転、停止等の制御を行っている。
【００５０】
更に、ＡＳＩＣ３０６には、原稿の画像や文字を読み取るための、スキャナ装置３３（例えば、ＣＩＳなど）、送受信操作のための操作パネル３０のキーボード３０ａや液晶ディスプレイ（ＬＣＤ）３０ｂを備えたパネルインターフェース３１３、パソコンなどの外部機器とパラレルケーブルやＵＳＢケーブルを介してデータの送受信を行うためのパラレルインターフェース３１５やＵＳＢインターフェース３１６、などが接続されている。
【００５１】
更に、ＡＳＩＣ３０６には、メンテナンス部３６のカム（図示せず）の回転位置を検出するためのリーフスイッチ１０３、用紙ＰがＵターン搬送路９を介して記録ヘッド２の下方に近づくように給紙されたときに、その用紙Ｐの先端位置を検出するためにＵターン搬送路９の搬送下流側に位置する用紙先端検出体１０６に関連させて設けられたレジセンサ１０４、搬送ローラ２０ａの回転量を検出するためのロータリエンコーダ４４、キャリッジ１３の移動量を検出するためのリニアエンコーダ３７等が接続されている。
【００５２】
駆動回路３１４は、記録ヘッド１２から所定のタイミングでインクを用紙Ｐに対して選択的に吐出させるためのものであり、ＣＰＵ３００から出力される駆動制御手順に基づきＡＳＩＣ３０６において生成され出力された信号を受けて、記録ヘッド１２を駆動制御する。
【００５３】
次に、図１４のフローチャートを参照しながら、上述の制御手段による用紙搬送及び画像記録の制御について説明する。画像記録装置１に電源投入されていない状態では、キャリッジ１３はメンテナンス部３６の上面位置にて停止しており、キャリッジ１３における記録ヘッド１２のノズル部はメンテナンス部３６の上面のキャップ部３６ａに密着されて覆われている（この状態を待機状態という）（図４、図９及び図１０参照）。
【００５４】
画像記録装置１に電源投入され、制御がスタートする（Ｓ１）。次に、例えば長期間の不使用、インクカートリッジの交換などのメンテナンス作業の要否を判別し（Ｓ２）、必要ある時には（Ｓ２：yes ）、以下のようなメンテナンス作業を実行する（Ｓ２）。即ち、ＣＲモータ２４を駆動させて、図４に示すように、キャリッジ１３を原点位置もしくはその近傍のメンテナンス位置にて停止させる。そのときには、図４及び図９に示すように、キャリッジ１３における後端面１３ａで、当接レバー５９を図８（ｂ）の矢印Ｅ方向に押した状態となり、作用軸５６を図８（ｂ）において反時計廻りに回動させる。これにより、押し上げ作用部５８が当接体５５を押し上げ、コイルバネ５４の付勢力に抗して拍車ホルダ５３が図８（ｂ）において時計廻りに上向きに回動し、すべての拍車２１ｂが排紙ローラ２１ａの上面から離れる。
【００５５】
そして、キャリッジ１３がメンテナンス部３６に位置しているときには、図１０に示すように、上記の切り換えギヤ１０９とメンテナンス側ギヤ１１２とが噛み合う一方、切り換えギヤ１０９と給紙側ギヤ１１３との噛み合いは外れている。この状態でＬＦモータ４２を駆動させることにより、図示しない吸引ポンプが作動し、記録ヘッド２のノズル面からインクや気泡を吸引してノズル詰まりをなくすることができる。この状態では上述のように、すべての拍車２１ｂが排紙ローラ２１ａの上面から離れているので、ＬＦモータ４２を駆動により排紙ローラ２１ａが回転駆動しても、拍車２１ｂは連れ廻りせず、従って、従来のような排紙ローラ２１ａに拍車２１ｂの先端が当接した状態で連れ廻りして大きい騒音を発するという事態を無くし、静粛なメンテナンス作業が実行できる。
【００５６】
メンテナンス作業の不要の場合（Ｓ２：no）、次いで、図示しない外部コンピュータ等から画像記録指令（Ｓ４）があると、まず、上述の待機位置（初期位置）にあるキャリッジ１３に対するキャップ部３６ａが下降するようにＬＦモータ４２が所定ステップ数だけ回転する。
【００５７】
次に、ＣＲモータ２４を正回転させ、キャリッジ１３を図３の左端のインク受け部３５（フラッシング位置）の上方へ移動させ（Ｓ５）、そのインク受け部３５にインクを吐出する（Ｓ６）。
【００５８】
上述のステップＳ５でキャリッジ１３がメンテナンス部３６の部分から離れる（図１１及び図１２で矢印Ｄ方向への移動）と、後端面１３ａが当接レバー５９から離れる（図１１及び図１２参照）。そうすると、図８（ａ）のように、作動軸５６に取付く押し上げ作用部５８が当接体５５の下面から離れるように時計方向に回動し、図６に示すコイルばね（付勢手段）５４の付勢力で拍車ホルダ５３が下向き方向に移動するので、すべての拍車２１ｂは駆動可能な排紙ローラ２１ａの上面に当接する。他方、キャリッジ１３がメンテナンス部３６の部分から離れるに際して、伝達切り換え手段１００の切り換えギヤ１０９がメンテナンス側ギヤ１１２との噛合を解除し、さらに、伝達切り換え手段１００を横移動させることを円滑に実行するため及び給紙側ギヤ１１３と噛み合いさせるには、ＬＦモータ４２をギヤの歯の１ピッチより少ない位相分だけ、一旦逆回転した後元の位相に戻すべく正回転することを１〜２回繰り返すという切り換え外しのための微小作動を実行する（Ｓ７）。
【００５９】
次いで、図１２のごとく、切り換えギヤ１０９が給紙側ギヤ１１３と噛合った状態では、給紙ユニット６の駆動軸１４への動力伝達が可能である。給紙カセット５からの給紙動作のため、ＬＦモータ４２を逆回転させると、アーム６ａが下降し、且つ給紙ローラ７を給送方向（図２で反時計周り）に回転駆動させる（Ｓ８）。
【００６０】
この状態では、レジストローラ対２０における搬送ローラ（駆動ローラ）２０ａは、時計周りに回転し、レジストローラ対２０では用紙Ｐを記録ヘッド１２の下方には送らない逆回転状態である。そして、給紙カセット５に堆積された用紙Ｐのうちの最上層の１枚の用紙Ｐが分離されて、その用紙Ｐの先端縁が図２に示すＵターン搬送路９の搬送下流側に位置する用紙先端検出体１０６の箇所を通過してから（レジセンサ１０４で検知してから）所定ステップ数だけ、レジストローラ対２０に突き当たる状態までＬＦモータ４２の逆回転が継続される。これにより、その用紙Ｐの先端縁がレジストローラ対２０のローラ軸線と平行状になるように整合される。なお、排紙ローラ対２１の排紙ローラ２１ａは図２で時計周りに回転している。
【００６１】
続いて、用紙Ｐを間欠的に前進させながら、キャリッジ１３を主走査方向に往復移動させつつ記録ヘッド１２のノズルから用紙Ｐの片面（表面）にインクを吐出させて画像記録を実行する（Ｓ１０）。用紙Ｐを間欠的に前進させるときは、レジストローラ対２０及び排紙ローラ対２１は同方向に回転（正回転）している。また、頭出し動作時及び画像記録のときには、駆動軸１４が逆回転することにより、アーム６ａが上向き回動すると共に給紙ローラ７は逆回転（６図（ａ）において、反時計廻りに回転）している。
【００６２】
上述のように、記録ヘッドが備えられたキャリッジを用紙Ｐの搬送方向と交差するに往復動可能に設け、キャリッジ１３の主走査方向に沿う移動方向の一端部に、記録ヘッド１２のメンテナンス部３６を設け、キャリッジ１３より用紙Ｐの搬送方向の下流側に配置された排紙手段は、回転駆動する排紙ローラ２１ａと、該排紙ローラ２１ａと対向するように配置されて当接可能な拍車２１ｂとからなり、拍車２１ｂを支持する拍車ホルダ５３は、排紙ローラ２１ａに対して遠近動可能に設けられ、キャリッジ１３がメンテナンス部３６に位置するとき、拍車２１ｂが排紙ローラ２１ａから離間する方向に拍車ホルダ５３を移動させる離間作動手段を備えているので、メンテナンス作業時に、回転している排紙ローラ２１ａに対して拍車２１ｂが当接しないから、当該拍車２１ｂの外周端が排紙ローラ２１ａに接触して従動するときのこすれ音によるノイズが発生せず、静粛なメンテナンス作業ができるという効果を奏する。
【００６３】
そして、離間作動手段は、キャリッジ１３を案内支持するガイドプレート４１と、拍車ホルダ５３との間に介在されたカム手段であり、このカム手段には、メンテナンス部に位置するキャリッジ１３の当接部（後当接部）１３ａに当接してカム部を傾動させるレバー（当接レバー）５９を備えた機械的構成であるので、キャリッジ１３をメンテナンス部３６に移動させるだけの簡単操作で、静粛なメンテナンス作業ができるという効果を奏する。
【００６４】
なお、離間作動手段の別の実施形態としては、キャリッジ１３がメンテナンス部３６に位置するとき、これをスイッチもしくはセンサ（接触型センサまたは光センサなどの非接触型センサ）にて検知し、拍車ホルダ５３を離間動させるように作動するアクチュエータ、たとえば電磁ソレノイドであっても良い。このような構成を採用すると、部品点数がさらに少なくできるという効果を奏する。
【００６５】
上記第１実施形態及び第２実施形態の離間作動手段は、キャリッジ１３がメンテナンス部３６から画像記録領域に移動するとき、拍車２１ｂが排紙ローラ２１ａに当接する方向に拍車ホルダ５３を移動させるように作動する構成であるから、画像記録作業時に自動的に排出される用紙Ｐを挟持することができ、拍車ホルダ５３の移動の制御が簡単になるという効果を奏する。
【００６６】
キャリッジ１３よりも用紙Ｐの搬送方向上流側には、レジストローラ対２０が配置されており、このレジストローラ対２０と排紙手段２１とは、１つの用紙搬送用駆動モータ（ＬＦモータ）２４により回転駆動する構成であるので、用紙搬送の構成が簡単になるという効果を奏する。
【００６７】
本発明は上記記述及び図面によって説明した実施形態に限定されるものではなく、要旨を逸脱しない範囲内で種々変更して実施することができる。
【図面の簡単な説明】
【００６８】
【図１】画像記録装置の全体斜視図である。
【図２】画像記録装置の側断面図である。
【図３】上部ケースを除き、本体ケースを後方から見た斜視図である。
【図４】記録ユニットに給紙カセットを装着した状態の平面図である。
【図５】下流側のガイドプレート及び支持部材を除いた状態の記録部ユニットの斜視図である。
【図６】（ａ）は本体ケース２内の記録部ユニットの構造を示す一部側面図、（ｂ）は拍車ホルダの付勢及び回動中心を示す要部斜視図である。
【図７】図４のVII −VII 線矢視側面図である。
【図８】（ａ）及び（ｂ）は図４の VIII −VIII線矢視の断面で示す作用説明図である。
【図９】キャリッジがメンテナンス部に位置した状態（拍車ホルダを上向き移動させるとき）の排紙ローラ対側から見た斜視図である。
【図１０】同じく搬送上流側から見た斜視図である。
【図１１】画像記録領域方向に移動するキャリッジにより拍車ホルダを下向き回動させた状態の排紙ローラ対側から見た斜視図である。
【図１２】同じく搬送上流側から見た斜視図である。
【図１３】制御装置の機能ブロック図である。
【図１４】画像記録の制御のフローチャートである。
【符号の説明】
【００６９】
１        画像記録装置
２        本体ケース
５        給紙カセット
６        給送手段としての給送ユニット
６ａ      アーム
７        給紙ローラ
１０        記録部ユニット
１１        プラテン
１２        記録ヘッド
１３        キャリッジ
１３ａ      後端面
２０        レジストローラ対
２１        排紙ローラ対
２１ａ      排紙ローラ
２１ｂ      拍車
２４        ＣＲモータ
３６        メンテナンス部
３９        エンジンフレーム
４０、４１    ガイドプレート
４２        ＬＦモータ
５３        拍車ホルダ
５４        コイルバネ
５５        当接体
５６        作用軸
５７        軸受部
５８        押し上げ作用部
５９        当接レバー
１００        切り換え手段
１０６        用紙先端検出体
１０８        反転搬送ソレノイド
１１５、１１６    軸
３００        ＣＰＵ
【図１】
2006327804.tif 000003
【図２】
2006327804.tif 000004
【図３】
2006327804.tif 000005
【図４】
2006327804.tif 000006
【図５】
2006327804.tif 000007
【図６】
2006327804.tif 000008
【図７】
2006327804.tif 000009
【図８】
2006327804.tif 000010
【図９】
2006327804.tif 000011
【図１０】
2006327804.tif 000012
【図１１】
2006327804.tif 000013
【図１２】
2006327804.tif 000014
【図１３】
2006327804.tif 000015
【図１４】
2006327804.tif 000016